(57)【特許請求の範囲】
【請求項１】
移動通信装置であって、
第一サービスネットワーク間の無線伝送と受信を実行し、前記第一サービスネットワークは、ＬＴＥ技術以外の無線技術を用いた移動通信システムであるワイヤレスモジュールと、
前記ワイヤレスモジュールにより、前記第一サービスネットワークから、ハンドオーバ要求メッセージを受信して、前記第一サービスネットワークから第二サービスネットワークにハンドオーバし、前記ハンドオーバ要求メッセージ中の専用無線リソースとコモン無線リソースの設定を適用するコントローラモジュールと、
を含み、
前記第二サービスネットワークは、ＬＴＥシステムであり、前記ハンドオーバ要求メッセージは、ＲＲＣＣｏｎｎｅｃｔｉｏｎＲｅｃｏｎｆｉｇｕｒａｔｉｏｎメッセージを含むことを特徴とする移動通信装置。
【請求項２】
前記コモン無線リソースの前記設定後、前記専用無線リソースの設定が適用されることを特徴とする請求項１に記載の移動通信装置。
【請求項３】
前記コントローラモジュールは、更に、前記専用無線リソースが、少なくとも一つの前記コモン無線リソースを含むか判断し、前記専用無線リソースに含まれる前記コモン無線リソースを除いて、前記コモン無線リソースの前記設定が適用されることを特徴とする請求項１に記載の移動通信装置。
【請求項４】
前記コントローラモジュールは、更に、前記コモン無線リソースが、少なくとも一つの前記専用無線リソースを含むか判断し、前記コモン無線リソースに含まれる前記専用無線リソースを除いて、前記専用無線リソースの前記設定が適用されることを特徴とする請求項１に記載の移動通信装置。
【発明の詳細な説明】
【技術分野】
【０００１】
本発明は、ハンドオーバ（ｈａｎｄｏｖｅｒ）処理に関するものであって、特に、ｉｎｔｅｒ−ＲＡＴモビリティを処理する装置及び方法に関するものである。
【背景技術】
【０００２】
一般の移動通信環境中、携帯電話、ワイヤレスコミュニケーション能力を有するラップトップコンピュータ、又は、ＰＤＡ等を含むユーザー装置（ＵＥ）は、一つ、又は、それ以上のサービスネットワークと無線通信して、音声、及び／又は、データ信号サービスを得る。ＵＥとサービスネットワーク間のワイヤレスコミュニケーションは、様々な無線技術、例えば、ＧＳＭ技術、ジェネラルパケットラジオサービス（ＧＰＲＳ）技術、エンハンストデータレートフォーグローバルエボリューション（ＥＤＧＥ）技術、広帯域符号分割多元接続（ＷＣＤＭＡ）技術、符号分割多重接続（Ｃｏｄｅ  Ｄｉｖｉｓｉｏｎ  Ｍｕｌｔｉｐｌｅ  Ａｃｃｅｓｓ）２０００（ＣＤＭＡ−２０００）技術、時分割同期符号分割多元接続（ＴＤ−ＳＣＤＭＡ）技術、ワイマックス（ＷｉＭＡＸ）技術、ロングタームエボリューション（ＬＴＥ）技術等を使用することができる。
【０００３】
３ＧＰＰ  ＴＳ  ３６．３３１仕様（以下でＴＳ３６．３３１仕様と称する）に従ったＬＴＥ技術を例とする。Ｅ−ＵＴＲＡ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ）工程からのモビリティが実行され、ＬＴＥシステムにより、接続モード下のＵＥを、別のＲＡＴ、例えば、ＧＳＭ、ＧＰＲＳ、ＷＣＤＭＡ、又は、ＣＤＭＡ−２０００技術を使用するセルに移動する。モビリティタイプの一つはハンドオーバで、ＬＴＥシステムは標的システムと通信し、無線リソースをＵＥに割り当てる。もう一種のモビリティのタイプは回路交換（ＣＳ）フォールバック工程に関係し、例えば、ＣＤＭＡ−２０００技術への進化型ＣＳフォールバックである。また、ＣＳフォールバック工程は、ＬＴＥシステムからＣＤＭＡ−２０００システムの並列ハンドオーバと同時に発生する。図１は、成功したＥ−ＵＴＲＡ工程からのモビリティを示すメッセージシーケンスチャートである。ＬＴＥシステムのＥ−ＵＴＲＡＮ（進化型ユニバーサル地上波無線アクセスネットワーク）は、ＭｏｂｉｌｉｔｙＦｒｏｍＥＵＴＲＡＣｏｍｍａｎｄメッセージを準備し、ＵＥに伝送し（ステップＳ１１０）、ＭｏｂｉｌｉｔｙＦｒｏｍＥＵＴＲＡＣｏｍｍａｎｄメッセージは、標的システム中のＵＥに割り当てられる無線リソースの設定を含む。ＭｏｂｉｌｉｔｙＦｒｏｍＥＵＴＲＡＣｏｍｍａｎｄメッセージの受信時、ＵＥは、標的システム中の割り当てられた無線リソースの設定に従って、標的システムとの接続を確立する（ステップＳ１２０）。その後、ＵＥは、ＬＴＥシステムに用いられる全無線リソースを解放し（ステップＳ１３０）、Ｅ−ＵＴＲＡ工程からのモビリティを終了する。一方、Ｅ−ＵＴＲＡ工程へのハンドオーバが実行されて、ＵＥと別の無線アクセスネットワーク（ＲＡＮ）間の接続をＥ−ＵＴＲＡＮに転送する。図２は、成功したＥ−ＵＴＲＡ工程へのハンドオーバを示すメッセージシーケンスチャートである。Ｅ−ＵＴＲＡ工程へのハンドオーバは、ＬＴＥ技術以外のＲＡＴを用いるＲＡＮにより、Ｅ−ＵＴＲＡＮから、ＲＲＣＣｏｎｎｅｃｔｉｏｎＲｅｃｏｎｆｉｇｕｒａｔｉｏｎメッセージを受信し、Ｅ−ＵＴＲＡ工程へのハンドオーバを初期化することにより開始される（ステップＳ２１０）。続いて、ＵＥは、ＲＲＣＣｏｎｎｅｃｔｉｏｎＲｅｃｏｎｆｉｇｕｒａｔｉｏｎメッセージに含まれる設定、例えば、ＬＴＥシステム中のＵＥに割り当てられる無線リソースの設定、セキュリティ関連の設定、及び、モビリティ制御情報等を適用する（ステップＳ２２０）。次に、ＵＥは、ＲＲＣＣｏｎｎｅｃｔｉｏｎＲｅｃｏｎｆｉｇｕｒａｔｉｏｎＣｏｍｐｌｅｔｅメッセージでＥ−ＵＴＲＡＮに応答し（ステップＳ２３０）、ＬＴＥシステムに、Ｅ−ＵＴＲＡ工程へのハンドオーバが正常終了したことを通知する。
【発明の概要】
【発明が解決しようとする課題】
【０００４】
よって、本発明は、Ｅ−ＵＴＲＡからのモビリティとＥ−ＵＴＲＡへのハンドオーバを含むｉｎｔｅｒ−ＲＡＴモビリティを処理する装置及び方法を提供することを目的とする。
【課題を解決するための手段】
【０００５】
本発明の一態様中、ワイヤレスモジュールとコントローラモジュールとを含む移動通信装置が提供される。ワイヤレスモジュールは、第一サービスネットワーク間の無線伝送と受信を実行する。コントローラモジュールは、ワイヤレスモジュールにより、第一サービスネットワークから、ハンドオーバ要求メッセージを受信して、第一サービスネットワークから第二サービスネットワークにハンドオーバし、ハンドオーバ要求メッセージ中の全設定が採用可能である、又は、ハンドオーバ要求メッセージ中に、プロトコルエラーがあるか判断する。特に、第一サービスネットワークと第二サービスネットワークは、それぞれ、ロングタームエボリューション（ＬＴＥ）システム、及び、ＬＴＥ技術以外の無線技術を用いた移動通信システムであり、ハンドオーバ要求メッセージはＭｏｂｉｌｉｔｙＦｒｏｍＥＵＴＲＡＣｏｍｍａｎｄメッセージである。また、ハンドオーバ要求メッセージ中の設定の一部、又は、全部が採用可能でない、又は、ハンドオーバ要求メッセージ中にプロトコルエラーが存在する時、コントローラモジュールは、ワイヤレスモジュールにより、再配置失敗を示す接続再確立要求メッセージを第一サービスネットワークに伝送する。
【０００６】
本発明の更に別の態様中、ワイヤレスモジュールとコントローラモジュールを含む移動通信装置が提供される。ワイヤレスモジュールは、第一サービスネットワーク間の無線伝送と受信を実行する。コントローラモジュールは、ワイヤレスモジュールにより、第一サービスネットワークから、ハンドオーバ要求メッセージを受信して、第一サービスネットワークから第二サービスネットワークにハンドオーバし、ハンドオーバ要求メッセージ中の専用の無線リソースとコモン無線リソースの設定を適用する。特に、第一サービスネットワークと第二サービスネットワークは、それぞれ、ロングタームエボリューション（ＬＴＥ）技術以外の無線技術を利用する移動通信システム、及び、ＬＴＥシステムで、ハンドオーバ要求メッセージはＲＲＣＣｏｎｎｅｃｔｉｏｎＲｅｃｏｎｆｉｇｕｒａｔｉｏｎメッセージを含む。
【０００７】
本発明のその他の特徴や長所に関し、当該技術を熟知する者なら誰でも、本発明の精神と領域を脱しない範囲内で各種の変動や変更を加えることができる。
【発明の効果】
【０００８】
更に効率的な操作が実行される。
【図面の簡単な説明】
【０００９】
【図１】成功したＥ−ＵＴＲＡ工程からのモビリティを示すメッセージシーケンスチャートである。
【図２】成功したＥ−ＵＴＲＡ工程へのハンドオーバを示すメッセージシーケンスチャートである。
【図３】本発明の実施形態による移動通信環境を示す図である。
【図４】本発明の実施形態による失敗したＥ−ＵＴＲＡ工程からのモビリティを示すメッセージシーケンスチャートである。
【図５】本発明の実施形態による成功したＥ−ＵＴＲＡ工程へのハンドオーバを示すメッセージシーケンスチャートである。
【図６】本発明の実施形態による移動通信により、ｉｎｔｅｒ−ＲＡＴモビリティを処理する方法を示すフローチャートである。
【図７】本発明の別の実施形態による移動通信装置により、ｉｎｔｅｒ−ＲＡＴモビリティを処理する方法を示すフローチャートである。
【発明を実施するための形態】
【００１０】
注意すべきことは、Ｅ−ＵＴＲＡ工程からのモビリティ期間、ＭｏｂｉｌｉｔｙＦｒｏｍＥＵＴＲＡＣｏｍｍａｎｄメッセージの全設定が採用可能ではない、及び／又は、ＭｏｂｉｌｉｔｙＦｒｏｍＥＵＴＲＡＣｏｍｍａｎｄメッセージ中にプロトコルエラーがあるか判断する場合、Ｅ−ＵＴＲＡ工程からのモビリティは失効したと考えられ、その後、ＵＥは、ＲＲＣＣｏｎｎｅｃｔｉｏｎＲｅｅｓｔａｂｌｉｓｈｍｅｎｔ要求メッセージをＥ−ＵＴＲＡＮに伝送することにより、接続再確立工程を初期化する。メッセージは、ハンドオーバ失敗を示す再確立原因を含む。しかし、接続再確立工程を初期化する本当の理由は再配置失敗であり、ＭｏｂｉｌｉｔｙＦｒｏｍＥＵＴＲＡＣｏｍｍａｎｄメッセージ中の設定の一部、又は、全部が採用可能でない、又は、ＭｏｂｉｌｉｔｙＦｒｏｍＥＵＴＲＡＣｏｍｍａｎｄメッセージ中にプロトコルエラーが存在するからである。不適当な操作は、悪い再確立原因に対応して実行されるので、これは、ＬＴＥシステムを非能率にする。この他、別のＲＡＴから、Ｅ−ＵＴＲＡへのハンドオーバ工程中、ＲＲＣＣｏｎｎｅｃｔｉｏｎＲｅｃｏｎｆｉｇｕｒａｔｉｏｎメッセージに含まれる設定を適用する時、ＵＥは、専用の無線リソースの設定だけに重点的に取り組み、コモン無線リソースの設定を無視する。ハンドオーバ後、コモン無線リソースの設定の省略が、ＵＥとＬＴＥシステム間の接続問題を引き起こす。よって、本発明は、上述のＥ−ＵＴＲＡ工程からのモビリティとＥ−ＵＴＲＡ工程へのハンドオーバの両方の問題を解決する方法を提案する。
【００１１】
図３は、本発明の実施形態による移動通信環境を示す図である。移動通信環境３００中、移動通信装置３１０は、サービスネットワーク３２０、及び／又は、３３０の一つに無線で接続され、無線サービスを得る。各サービスネットワーク３２０と３３０は、移動通信装置３１０間の無線伝送と受信を実行する少なくとも一つのアクセスノードと、少なくとも一つのアクセスノードの操作を制御する制御ノードと、を含み、制御ノードは、更に、コアネットワークに接続される。特に、サービスネットワーク３２０と３３０は、異なるＲＡＴ用いて、無線サービスを提供し、つまり、サービスネットワーク３２０と３３０は、二個の異なるワイヤレスコミュニケーションプロトコルに従って操作する。移動通信装置３１０は、サービスネットワーク３２０と３３０間の無線伝送と受信の機能を実行するワイヤレスモジュール３１１を含む。更に詳細には、ワイヤレスモジュール３１１は、ベースバンドユニット（図示しない）と無線周波数（ＲＦ）ユニット（図示しない）を有する。ベースバンドユニットは複数のハードウェア装置を含み、ベースバンド信号処理を実行し、アナログデジタル変換（ＡＤＣ）／デジタルアナログ変換（ＤＡＣ）、利得調整、変調／復調、符号化／復号化等を含む。ＲＦユニットはＲＦ無線信号を受信し、受信したＲＦ無線信号をベースバンド信号に変換し、ベースバンドユニットにより処理されるか、又は、ベースバンドユニットからベースバンド信号を受信し、受信したベースバンド信号をＲＦ無線信号に変換し、伝送する。ＲＦユニットは、複数のハードウェア装置も含み、無線周波数変換を実行する。例えば、ＲＦユニットはミキサーを有し、移動通信システムの無線周波数で発振するキャリアにより、ベースバンド信号を多重化し、無線周波数は、ＷＣＤＭＡシステムで用いられる９００ＭＨｚ、１９００ＭＨｚ、又は、２１００ＭＨｚ、或いは、ＬＴＥシステムで用いられる９００ＭＨｚ、２１００ＭＨｚ、又は、２．６ＧＨｚ、或いは、その他ＲＡＴに基づく。また、移動通信装置３１０はコントローラモジュール３１２を有し、ワイヤレスモジュール３１１と別の機能素子（例えば、ＭＭＩ（ｍａｎ−ｍａｃｈｉｎｅ  ｉｎｔｅｒｆａｃｅ）を提供するディスプレイユニット、及び／又は、キーパッド、アプリケーションや通信プロトコルのプログラムコードを保存するストレージユニット等）の操作を制御する。
【００１２】
詳細には、コントローラモジュール３１２はワイヤレスモジュール３１１を制御して、Ｅ−ＵＴＲＡ工程からのモビリティとＥ−ＵＴＲＡ工程へのハンドオーバを含むｉｎｔｅｒ−ＲＡＴモビリティ工程を実行する。図４は、本発明の実施形態による失敗したＥ−ＵＴＲＡ工程からのモビリティを説明するメッセージシーケンスチャートである。この実施形態中、サービスネットワーク３２０はＬＴＥシステムであり、サービスネットワーク３３０はＷＣＤＭＡシステムである。特に、移動通信装置３１０とサービスネットワーク３２０間の通信は、ＬＴＥ技術のＴＳ３６．３３１仕様、及び／又は、別の３ＧＰＰ仕様に従い、移動通信装置３１０とサービスネットワーク３３０間の通信はＷＣＤＭＡ技術の３ＧＰＰ仕様に従う。別の実施形態中、サービスネットワーク３３０は、ＧＳＭ、ＧＰＲＳ、又は、ＣＤＭＡ−２０００システム、又は、ＬＴＥ技術以外のＲＡＴを用いた移動通信システムである。電源がオンになった後、移動通信装置３１０はサービスネットワーク３２０と接続し、無線サービスを得る。その後、サービスネットワーク３２０が、移動通信装置３１０をサービスネットワーク３３０に転移させると決定する時、ＭｏｂｉｌｉｔｙＦｒｏｍＥＵＴＲＡＣｏｍｍａｎｄメッセージを移動通信装置３１０に伝送することにより、Ｅ−ＵＴＲＡ工程からのモビリティを初期化し（ステップＳ４１０）、ＭｏｂｉｌｉｔｙＦｒｏｍＥＵＴＲＡＣｏｍｍａｎｄメッセージは、サービスネットワーク３３０中の移動通信装置３１０に割り当てられる無線リソースの設定を含む。特に、Ｅ−ＵＴＲＡ工程からのモビリティは、ｉｎｔｅｒ−ＲＡＴハンドオーバ、セル変換命令、及び、増幅ＣＳフォールバックを含む３種のｉｎｔｅｒ−ＲＡＴモビリティを含む。ＭｏｂｉｌｉｔｙＦｒｏｍＥＵＴＲＡＣｏｍｍａｎｄメッセージの受信時、コントローラモジュール３１２は、まず、ガードタイマーＴ３０４を開始して、Ｅ−ＵＴＲＡ工程からのモビリティを制御し（ステップＳ４２０）、その後、ＭｏｂｉｌｉｔｙＦｒｏｍＥＵＴＲＡＣｏｍｍａｎｄメッセージ中の全設定が採用可能である、又は、ＭｏｂｉｌｉｔｙＦｒｏｍＥＵＴＲＡＣｏｍｍａｎｄメッセージ中に、プロトコルエラーがあるか判断する（ステップＳ４３０）。この実施形態中、ＭｏｂｉｌｉｔｙＦｒｏｍＥＵＴＲＡＣｏｍｍａｎｄメッセージの設定の一部、又は、全部が、採用可能でない、又は、ＭｏｂｉｌｉｔｙＦｒｏｍＥＵＴＲＡＣｏｍｍａｎｄメッセージ中にプロトコルエラーがあるので、Ｅ−ＵＴＲＡ工程からのモビリティは失効したと考えられる。Ｅ−ＵＴＲＡ工程からのモビリティ失効時、コントローラモジュール３１２はガードタイマーＴ３０４を停止し（ステップＳ４４０）、Ｅ−ＵＴＲＡ工程からのモビリティがＣＳフォールバック工程のためか判断する（ステップＳ４５０）。特に、ＭｏｂｉｌｉｔｙＦｒｏｍＥＵＴＲＡＣｏｍｍａｎｄメッセージは、ｃｓ−ＦａｌｌｂａｃｋＩｎｄｉｃａｔｏｒ領域を含み、その値はＴＲＵＥに設定され、コントローラモジュール３１２は、Ｅ−ＵＴＲＡ工程からのモビリティがＣＳフォールバック工程のためか判断する。この実施形態中、Ｅ−ＵＴＲＡ工程からのモビリティは増幅ＣＳフォールバックのためなので、コントローラモジュール３１２は、更に、ＣＳフォールバック工程の失効を上層、例えば、ＥＰＳ（Ｅｖｏｌｖｅｄ  Ｐａｃｋｅｔ  ｓｙｓｔｅｍ）ｍｏｂｉｌｉｔｙ  Ｍａｎａｇｅｍｅｎｔ（ＥＭＭ）層に示す（ステップＳ４６０）。続いて、コントローラモジュール３１２は、ＭｏｂｉｌｉｔｙＦｒｏｍＥＵＴＲＡＣｏｍｍａｎｄメッセージ中の専用の物理的設定、主要媒体アクセス制御（ＭＡＣ）設定、及び、半永続スケジューリング（ＳＰＳ）設定を除いては、ＭｏｂｉｌｉｔｙＦｒｏｍＥＵＴＲＡＣｏｍｍａｎｄメッセージを受信する前に適用する前の設定に戻る（ステップＳ４７０）。その後、コントローラモジュール３１２は、ワイヤレスモジュール３１１により、再配置失敗をサービスネットワーク３２０に示すＲＲＣＣｏｎｎｅｃｔｉｏｎＲｅｅｓｔａｂｌｉｓｈｍｅｎｔ要求メッセージを伝送することにより、ＲＲＣ接続再確立工程を初期化し（ステップＳ４８０）、公知のＬＴＥ  ＵＥでハンドオーバ失敗を示すのではない。特に、ＲＲＣＣｏｎｎｅｃｔｉｏｎＲｅｅｓｔａｂｌｉｓｈｍｅｎｔ要求メッセージは、再配置失敗を示す再確立原因を含む。注意すべきことは、サービスネットワーク３２０にとって、正しい再確立原因が通知されるので、好ましい動作が採用され、更に効率的な操作が実行される。
【００１３】
図５は、本発明の実施形態による成功したＥ−ＵＴＲＡ工程へのハンドオーバを示すメッセージシーケンスチャートである。図４と同様に、サービスネットワーク３２０はＬＴＥシステムで、サービスネットワーク３３０はＷＣＤＭＡシステムである。つまり、移動通信装置３１０とサービスネットワーク３２０間の通信は、ＴＳ３６．３３１仕様、及び／又は、ＬＴＥ技術の別の３ＧＰＰ仕様に従い、移動通信装置３１０とサービスネットワーク３３０間の通信は、ＷＣＤＭＡ技術の３ＧＰＰ仕様に従う。別の実施形態で、サービスネットワーク３３０は、ＧＳＭ、ＧＰＲＳ、又は、ＣＤＭＡ−２０００システム、又は、ＬＴＥ技術以外のＲＡＴを用いた移動通信システムである。電源がオンになった後、移動通信装置３１０はサービスネットワーク３３０に接続されて、無線サービスを得る。その後、サービスネットワーク３３０が、移動通信装置３１０をサービスネットワーク３２０に転移することを決定する時、サービスネットワーク３２０にハンドオーバの準備を要求することにより、Ｅ−ＵＴＲＡ工程へのハンドオーバを初期化する。サービスネットワーク３２０は、ＲＲＣＣｏｎｎｅｃｔｉｏｎＲｅｃｏｎｆｉｇｕｒａｔｉｏｎメッセージを準備して、サービスネットワーク３３０により、ＲＲＣＣｏｎｎｅｃｔｉｏｎＲｅｃｏｎｆｉｇｕｒａｔｉｏｎメッセージを移動通信装置３１０に伝送する（ステップＳ５１０）。特に、サービスネットワーク３３０は、ＲＲＣＣｏｎｎｅｃｔｉｏｎＲｅｃｏｎｆｉｇｕｒａｔｉｏｎメッセージを、ＷＣＤＭＡ技術の３ＧＰＰ仕様に従ったＨａｎｄｏｖｅｒＦｒｏｍＵＴＲＡＮメッセージに配置し、ＨａｎｄｏｖｅｒＦｒｏｍＵＴＲＡＮメッセージを移動通信装置３１０に伝送する。特に、ＲＲＣＣｏｎｎｅｃｔｉｏｎＲｅｃｏｎｆｉｇｕｒａｔｉｏｎメッセージは、サービスネットワーク３２０中の移動通信装置３１０に割り当てられる専用の無線リソースとコモン無線リソースの設定を含む無線リソースの設定を含有している。ハンドオーバＦｒｏｍＵＴＲＡＮメッセージの受信時、コントローラモジュール３１２はＲＲＣＣｏｎｎｅｃｔｉｏｎＲｅｃｏｎｆｉｇｕｒａｔｉｏｎメッセージを回収し、専用の無線リソースの設定を適用する（ステップＳ５２０）。次に、公知のＬＴＥ  ＵＥとは違い、コントローラモジュール３１２もコモン無線リソースの設定を適用する（ステップＳ５３０）。一実施形態中、ステップＳ５３０の実行前、コントローラモジュール３１２は、まず、専用の無線リソースが少なくとも一つのコモン無線リソースを含むか判断する。そうだとしたら、ステップＳ５３０で、コントローラモジュール３１２は、専用の無線リソースに含まれないコモン無線リソースの設定だけを適用し、同じ無線リソースの重ね書きを回避する。別の実施形態中、ステップＳ５３０の実行前、コントローラモジュール３１２は、まず、コモン無線リソースが少なくとも一つの専用の無線リソースを有するか判断する。そうだとしたら、ステップＳ５３０で、コントローラモジュール３１２は、コモン無線リソースに含まれない専用の無線リソースの設定だけを適用し、同じ無線リソースの重ね書きを回避する。さらに別の実施形態では、ステップＳ５２０及びステ���プＳ５３０は、入れ替えられてもよい。すなわち、コモン無線リソースの設定後、専用無線リソースの設定が適用される。その後、コントローラモジュール３１２は、更に、ＲＲＣＣｏｎｎｅｃｔｉｏｎＲｅｃｏｎｆｉｇｕｒａｔｉｏｎＣｏｍｐｌｅｔｅメッセージを準備して、サービスネットワーク３２０に伝送し（ステップＳ５４０）、Ｅ−ＵＴＲＡ工程へのハンドオーバを終了する。
【００１４】
図６は、本発明の実施形態による移動通信装置によりｉｎｔｅｒ−ＲＡＴモビリティを処理する方法を示すフローチャートである。本方法を説明するため、移動通信装置３１０を例とすると、まず、移動通信装置３１０は、第一通信プロトコルに従って、サービスネットワーク３２０と接続する。本方法を開始するため、移動通信装置３１０は、サービスネットワーク３２０から、ハンドオーバ要求メッセージを受信して、サービスネットワーク３２０からサービスネットワーク３３０にハンドオーバし（ステップＳ６１０）、サービスネットワーク３３０は第二通信プロトコルに従う。つまり、それらは、二個の異なるワイヤレスコミュニケーションプロトコルに従って操作するので、サービスネットワーク３２０と３３０は異なる無線技術を用いる。一実施形態中、サービスネットワーク３２０はＬＴＥシステムで、ハンドオーバ要求メッセージは、サービスネットワーク３３０で、移動通信装置３１０に割り当てられる無線リソースの設定を含むＭｏｂｉｌｉｔｙＦｒｏｍＥＵＴＲＡＣｏｍｍａｎｄメッセージである。次に、移動通信装置３１０は、ハンドオーバ要求メッセージ中の全設定が採用可能である、又は、ハンドオーバ要求メッセージ中に、プロトコルエラーがあるか判断する（ステップＳ６２０）。ハンドオーバ要求メッセージの設定の一部、又は、全部が採用可能でない、又は、ハンドオーバ要求メッセージにプロトコルエラーがある場合、ｉｎｔｅｒ−ＲＡＴモビリティが失効したと考えられ、移動通信装置３１０は、再配置失敗を示す接続再確立要求メッセージをサービスネットワーク３２０に伝送することにより、接続再確立工程を初期化する（ステップＳ６３０）。特に、サービスネットワーク３２０がＬＴＥシステムの場合、接続再確立要求メッセージは、再配置失敗メッセージを示す再確立原因を含むＲＲＣＣｏｎｎｅｃｔｉｏｎＲｅｅｓｔａｂｌｉｓｈｍｅｎｔ要求メッセージである。
【００１５】
接続再確立工程の初期化の他、移動通信装置３１０は、更に、ガードタイマーを停止して、ｉｎｔｅｒ−ＲＡＴモビリティを制御し、ｉｎｔｅｒ−ＲＡＴモビリティがＣＳフォールバック工程のためか判断する。特に、ハンドオーバ要求メッセージはｃｓ−ＦａｌｌｂａｃｋＩｎｄｉｃａｔｏｒ領域を含み、従って、移動通信装置３１０は、ｉｎｔｅｒ−ＲＡＴモビリティがＣＳフォールバック工程のためか判断する。ｉｎｔｅｒ−ＲＡＴモビリティがＣＳフォールバック工程のためである場合、移動通信装置３１０は、ＣＳフォールバック工程の失効を、上層、例えば、ＬＴＥ  ＵＥのＥＭＭ層に示す。また、移動通信装置３１０は、ハンドオーバ要求メッセージのある特定の設定を除いて、ハンドオーバ要求メッセージを受信する前に適用される前の設定に戻る。特に、ハンドオーバ要求メッセージがＭｏｂｉｌｉｔｙＦｒｏｍＥＵＴＲＡＣｏｍｍａｎｄメッセージの場合、前の状態に戻るステップから排除される特定の設定は、ＭｏｂｉｌｉｔｙＦｒｏｍＥＵＴＲＡＣｏｍｍａｎｄメッセージ中の専用の物理的設定、主要ＭＡＣ設定、及び、ＳＰＳ設定である。
【００１６】
図７は、本発明の別の実施形態による移動通信装置により、ｉｎｔｅｒ−ＲＡＴモビリティを処理する方法を示すフローチャートである。本方法を説明するために、移動通信装置３１０を例とすると、初めは、移動通信装置３１０は、第一通信プロトコルに従って、サービスネットワークと接続する。本方法を開始するため、移動通信装置３１０は、サービスネットワーク３３０から、ハンドオーバ要求メッセージを受信して、サービスネットワーク３３０からサービスネットワーク３２０にハンドオーバし（ステップＳ７１０）、サービスネットワーク３２０は第二通信プロトコルに従う。つまり、それらは、二個の異なるワイヤレスコミュニケーションプロトコルに従って操作するので、サービスネットワーク３２０と３３０は異なる無線技術を用いる。一実施形態中、サービスネットワーク３２０と３３０はＬＴＥシステムとＷＣＤＭＡシステムで、ハンドオーバ要求メッセージはＨａｎｄｏｖｅｒＦｒｏｍＵＴＲＡＮメッセージに含まれるＲＲＣＣｏｎｎｅｃｔｉｏｎＲｅｃｏｎｆｉｇｕｒａｔｉｏｎメッセージである。ハンドオーバ要求メッセージは無線リソースの設定を含み、サービスネットワーク３２０で移動装置３１０に割り当てられる専用の無線リソースとコモン無線リソースを含む。次に、移動通信装置３１０はハンドオーバ要求メッセージ中の専用の無線リソースの設定を適用する（ステップＳ７２０）。また、移動通信装置３１０はハンドオーバ要求メッセージ中のコモン無線リソースの設定を適用する（ステップＳ７３０）。
【００１７】
一実施形態中、ステップＳ７３０の前、移動通信装置３１０は、まず、専用の無線リソースが少なくとも一つのコモン無線リソースを含むか判断する。そうだとしたら、ステップＳ７３０で、移動通信装置３１０は、専用の無線リソースに含まれないコモン無線リソースの設定だけを適用し、同じ無線リソースの重ね書きを回避する。別の実施形態中、ステップＳ７３０の前、移動通信装置３１０は、まず、コモン無線リソースが少なくとも一つの専用の無線リソースを含むか判断する。そうだとしたら、ステップＳ７３０中、移動通信装置３１０はコモン無線リソースの含まれない専用の無線リソースの設定だけを適用し、同じ無線リソースの重ね書きを回避する。さらに別の実施形態では、ステップＳ７２０及びステップＳ７３０は、入れ替えられてもよい。すなわち、コモン無線リソースの設定後、専用無線リソースの設定が適用される。この他、専用の無線リソースとコモン無線リソースの設定をうまく適用後、移動通信装置３１０は、更に、ハンドオーバ完成メッセージを準備し、サービスネットワーク３２０に伝送して、サービスネットワーク３２０にｉｎｔｅｒ−ＲＡＴモビリティの正常終了を通知する。特に、サービスネットワーク３２０がＬＴＥシステムの場合、ハンドオーバ完成メッセージはＲＲＣＣｏｎｎｅｃｔｉｏｎＲｅｃｏｎｆｉｇｕｒａｔｉｏｎＣｏｍｐｌｅｔｅメッセージである。
【００１８】
注意すべきことは、サービスネットワーク３２０は、上述の実施形態中、ＬＴＥシステムとしてだけ描写されているが、サービスネットワーク３２０はＬＴＥ−先進システム、又は、ＬＴＥ技術システムの未来発展技術を用いた任意の移動通信システムでもよい。一方、サービスネットワーク３３０は、サービスネットワーク３２０により用いられるＲＡＴ以外のあらゆるＲＡＴを用いた移動通信システムである。例えば、一実施形態中、サービスネットワーク３２０はＬＴＥシステムで、サービスネットワーク３３０はＣＤＭＡシステムである。別の実施形態中、サービスネットワーク３２０はＬＴＥシステムで、サービスネットワーク３３０はＣＤＭＡ−２０００システムであるが、本発明はこれに限定されない。更に、サービスネットワーク３３０は、更に、ＧＳＭシステム、ＧＰＲＳシステム、ＴＤ−ＳＣＤＭＡシステム、ＷｉＭＡＸシステム、ＷｉＢｒｏシステム等から選択される。
【００１９】
本発明では好ましい実施例を前述の通り開示したが、これらは決して本発明に限定するものではなく、当該技術を熟知する者なら誰でも、本発明の精神と領域を脱しない範囲内で各種の変動や変更を加えることができ、従って本発明の保護範囲は、特許請求の範囲で指定した内容を基準とする。
【符号の説明】
【００２０】
３００  移動通信環境
３１０  移動通信装置
３１１  ワイヤレスモジュール
３１２  コントローラモジュール
３２０、３３０  サービスネットワーク
【図１】
0005687571.tif 000002
【図２】
0005687571.tif 000003
【図３】
0005687571.tif 000004
【図４】
0005687571.tif 000005
【図５】
0005687571.tif 000006
【図６】
0005687571.tif 000007
【図７】
0005687571.tif 000008